(57)【特許請求の範囲】
【請求項１】
軸筒と、消去部材を備えた操作部とを具備し、前記操作部を前方に押圧するノック操作を行うことによって筆記芯の繰り出しが行われるノック式のシャープペンシルであって、
重力によって前記軸筒内を前後方向に移動可能なノックロック部材と、前記軸筒の内面に設けられ、前記ノックロック部材と係止可能な係止部とをさらに具備し、
前記軸筒の前端を上方へ向けると、前記ノックロック部材が後方へ移動して前記係止部と係止し、前記操作部の前方への移動が阻止され、
前記操作部が前記ノックロック部材に対向するカム面を有し、前記ノックロック部材が前記カム面と協働するカム受け面を有し、前記ノックロック部材は第１の突起部を有し、且つ前記係止部が第２の突起部を有し、前記ノックロック部材が周方向へ回転すると前記第１の突起部と前記第２の突起部とが係止することによって、前記ノックロック部材が後方へ移動すると、前記カム面と前記カム受け面とが協働して前記ノックロック部材を周方向へ回転させ、前記係止部と前記ノックロック部材とが係止状態になり、また、前記第１の突起部又は前記第２の突起部の側面には凹部が形成され、該凹部によって前記第１の突起部と前記第２の突起部とが係止し、複数の前記第１の突起部及び複数の前記第２の突起部が、それぞれ周方向に等間隔に配置され、前記第１の突起部又は前記第２の突起部の一方の該突起部間に前後方向に延在するガイド溝を画成し、他方の前記突起部が、前記ノックロック部材の前後方向の移動に応じて前記ガイド溝内を移動すると共に、前記凹部が、係止する前記突起部を前記ガイド溝内へ案内する斜面を有することを特徴とするシャープペンシル。
【請求項２】
軸筒と、消去部材を備えた操作部とを具備し、前記操作部を前方に押圧するノック操作を行うことによって筆記芯の繰り出しが行われるノック式のシャープペンシルであって、
重力によって前記軸筒内を前後方向に移動可能なノックロック部材と、前記軸筒の内面に設けられ、前記ノックロック部材と係止可能な係止部とをさらに具備し、
前記軸筒の前端を上方へ向けると、前記ノックロック部材が後方へ移動して前記係止部と係止し、前記操作部の前方への移動が阻止され、
前記操作部が前記ノックロック部材に対向するカム面を有し、前記ノックロック部材が前記カム面と協働するカム受け面を有し、前記ノックロック部材が後方へ移動すると、前記カム面と前記カム受け面とが協働して前記ノックロック部材を周方向へ回転させ、前記係止部と前記ノックロック部材とが係止状態になることを特徴とするシャープペンシル。
【発明の詳細な説明】
【技術分野】
【０００１】
本発明は、筆記芯が一定量繰り出されるシャープペンシルに関する。
【背景技術】
【０００２】
シャープペンシルは周知のとおり、軸筒の後端部に突出するノック部をノック操作することで、軸筒の前端部側に取り付けられた口先部材より、筆記芯が一定量繰り出される。一般に、シャープペンシルのみならず、消しゴム付き鉛筆のように、紙面等の筆記面に描かれた筆跡をノック部に備わる消去部材によって消去可能とする筆記具が周知である（例えば、特許文献１）。
【０００３】
特許文献１に記載の筆記具では、安定した消去動作を阻害するような、消去動作に応じた消去部材の前後移動を防止するため、消去部材に対して１点が揺動可能に支持された可動ピンを有している。消去動作時に消去部材を鉛直下方に向けて軸筒を傾斜させると、可動ピンが揺動し、軸筒と係止することによって、消去部材の後退が阻止され、安定した消去動作が可能となる。
【先行技術文献】
【特許文献】
【０００４】
【特許文献１】特開２０１５−２０２８２号公報
【発明の概要】
【発明が解決しようとする課題】
【０００５】
しかしながら、特許文献１に記載の筆記具では、軸筒を筆記面に対して垂直に保持した場合は、可動ピンが軸筒と係止せず、安定した消去動作が行えない可能性がある。
【０００６】
本発明は、安定した消去動作等を行うことを可能にする簡単な機構を備えたシャープペンシルを提供することを目的とする。
【課題を解決するための手段】
【０００７】
本発明の一態様によれば、軸筒と、消去部材を備えた操作部とを具備し、前記操作部を前方に押圧するノック操作を行うことによって筆記芯の繰り出しが行われるノック式のシャープペンシルであって、重力によって前記軸筒内を前後方向に移動可能なノックロック部材と、前記軸筒の内面に設けられ、前記ノックロック部材と係止可能な係止部とをさらに具備し、前記軸筒の前端を上方へ向けると、前記ノックロック部材が後方へ移動して前記係止部と係止し、前記操作部の前方への移動が阻止されることを特徴とするシャープペンシルが提供される。
【０００８】
また、別の態様によれば、前記ノックロック部材が筒状の部材であることを特徴とするシャープペンシルが提供される。
【０００９】
また、別の態様によれば、前記操作部が前記ノックロック部材に対向するカム面を有し、前記ノックロック部材が前記カム面と協働するカム受け面を有し、前記ノックロック部材が後方へ移動すると、前記カム面と前記カム受け面とが協働して前記ノックロック部材を周方向へ回転させ、前記係止部と前記ノックロック部材とが係止状態になることを特徴とするシャープペンシルが提供される。
【００１０】
また、別の態様によれば、前記ノックロック部材が第１の突起部を有し且つ前記係止部が第２の突起部を有し、前記ノックロック部材が周方向へ回転すると前記第１の突起部と前記第２の突起部とが係止することによって、前記ノックロック部材と前記係止部とが係止状態になることを特徴とするシャープペンシルが提供される。
【００１１】
また、別の態様によれば、前記第１の突起部又は前記第２の突起部の側面には凹部が形成され、該凹部によって前記第１の突起部と前記第２の突起部とが係止することを特徴とするシャープペンシルが提供される。
【００１２】
また、別の態様によれば、複数の前記第１の突起部及び複数の前記第２の突起部が、それぞれ周方向に等間隔に配置され、前記第１の突起部又は前記第２の突起部の一方の該突起部間に前後方向に延在するガイド溝を画成し、他方の前記突起部が、前記ノックロック部材の前後方向の移動に応じて前記ガイド溝内を移動することを特徴とするシャープペンシルが提供される。
【００１３】
また、別の態様によれば、前記凹部が、係止する前記突起部を前記ガイド溝内へ案内する斜面を有することを特徴とするシャープペンシルが提供される。
【００１４】
また、別の態様によれば、前記凹部が、係止する前記突起部の一部と相補的な形状であることを特徴とするシャープペンシルが提供される。
【発明の効果】
【００１５】
本発明の態様によれば、安定した消去動作等を行うことを可能にする簡単な機構を備えたシャープペンシルを提供するという共通の効果を奏する。
【図面の簡単な説明】
【００１６】
【図１】前端が下向きの本発明の実施形態によるシャープペンシルの縦断面図である。
【図２】前端が上向きの図１のシャープペンシルの縦断面図である。
【図３】図１のシャープペンシルの後軸の正面図である。
【図４】図３の後軸の線Ａ−Ａにおける断面図である。
【図５】図１のシャープペンシルの芯ケースの斜視図である。
【図６】図５の芯ケースの側面図である。
【図７】図１のシャープペンシルのノックロック部材の斜視図である。
【図８】図７のノックロック部材の側面図である。
【図９】図１のシャープペンシルのノックロック部材の動作を示す模式図である。
【発明を実施するための形態】
【００１７】
以下、図面を参照しながら本発明の実施の形態を詳細に説明する。全図面に渡り、対応する構成要素には共通の参照符号を付す。
【００１８】
図１は、前端が下向きの本発明の実施形態によるシャープペンシル１の縦断面図であり、図２は、前端が上向きの図１のシャープペンシル１の縦断面図である。図１及び図２において、上方は鉛直上方であり、下方は鉛直下方である。すなわち、重力が、各図において下方に向かって作用する。
【００１９】
シャープペンシル１は、筒状に形成され且つ前軸２及び後軸３を備えた軸筒４と、前軸２の周囲に取り付けられた弾性材料からなるグリップ５と、前軸２の前端に取り付けられた口先部材６と、筆記芯７を保持する保持チャック８と、スプリング９と、円筒状に形成された芯ケース１０とを有している。芯ケース１０の前端部内には、保持チャック８の後端部が挿入され、把持されている。また、芯ケース１０は、スプリング９によって保持チャック８と共に後方へ付勢されている。保持チャック８やスプリング９等は、公知のノック機構を構成する。なお、本明細書中では、シャープペンシル１の軸線方向において、筆記芯７が突出する側を「前」側と規定し、その反対側を「後」側と規定する。
【００２０】
芯ケース１０の後端部内には、消去部材２０が挿入され、嵌合している。芯ケース１０の後端部の外面には、一端が閉塞したノックカバー２１が嵌合し、消去部材２０を覆っている。消去部材２０及びノックカバー２１は、軸筒４の後端から後方へ突出している。軸筒４内において、芯ケース１０の周囲には、ノックロック部材３０が配置されている。
【００２１】
ノックロック部材３０は、後述するように、重力によって軸筒４内を前後方向に移動可能である。したがって、図１では、シャープペンシル１の前端、すなわち軸筒４の前端が上向きであることから、ノックロック部材３０は、軸筒４内において後端側に寄っている。他方、図２では、シャープペンシル１の前端、すなわち軸筒４の前端が下向きであることから、ノックロック部材３０は、図１と比較して、軸筒４内において前端側に寄っている。
【００２２】
消去部材２０又はノックカバー２１は操作部として機能する。したがって、スプリング９の付勢力に抗して、操作部を前方へ押圧するノック操作によって、芯ケース１０が前方へ押圧され、保持チャック８による筆記芯７の保持が解放され、筆記芯７の繰り出しが行われる。シャープペンシル１は、後述するように、後軸３の内面、すなわち軸筒の内面に係止部を有する点、ノックロック部材３０を有する点、芯ケース１０がノックロック部材３０と協働するカム面１２を有する点以外は、従来のシャープペンシルと同様の構造である。
【００２３】
図３は、図１のシャープペンシル１の後軸３の正面図であり、図４は、図３の後軸３の線Ａ−Ａにおける断面図である。図４において、上方がシャープペンシル１の前側である。後軸３の内面の中間部には、係止部４０が設けられている。すなわち、係止部４０は、軸筒４の内面に設けられている。係止部４０は、後述するノックロック部材３０の第１突起部３２と係止する、周方向に等間隔に配置された４つの第２突起部４１を有する。第２突起部４１は、横断面が台形であり、台形の平行な２辺が、軸線方向に沿うように配置される。第２突起部４１の後端面は、前後方向に対して垂直な平面に対して、周方向に傾斜した斜面４２である。
【００２４】
図５は、図１のシャープペンシル１の芯ケース１０の斜視図であり、図６は、図５の芯ケース１０の側面図である。図６において、上方がシャープペンシル１の前側である。芯ケース１０は、筒状の部材である。芯ケース１０の後端部の外周面には、ノックカバー２１と嵌合する環状の突起である嵌合部１１が形成されている。嵌合部１１の前方の芯ケース１０の外周面は最も大径に形成され、前方に面したカム面１２が形成されている。カム面１２は４つの山部１３及び谷部１４を有する。詳細には、カム面１２が、前後方向に対して垂直な平面に対して周方向に傾斜した斜部１５と、前後方向に沿って延びる縦壁部１６とを有するように、山部１３及び谷部１４が構成されている。芯ケース１０のカム面１２の山部１３は、周方向に沿って非対称であるが、対称的な形状であってもよい。
【００２５】
図７は、図１のシャープペンシル１のノックロック部材３０の斜視図であり、図８は、図７のノックロック部材３０の側面図である。図８において、上方がシャープペンシル１の前側である。ノックロック部材３０は、筒状の部材である。ノックロック部材３０は、軸筒４内において芯ケース１０によって貫通されるように配置され、前軸２の後端面２ａと芯ケース１０のカム面１２との間を前後方向に移動可能である。
【００２６】
ノックロック部材３０の後端面には、芯ケース１０のカム面１２と相補的な形状のカム受け面３１が形成されている。カム受け面３１は、芯ケース１０のカム面１２と同様に４つの山部３１ａ及び谷部３１ｂを有する。すなわち、ノックロック部材３０のカム受け面３１は、前後方向に対して垂直な平面に対して周方向に傾斜した斜部３１ｃと、前後方向に沿って延びる縦壁部３１ｄとを有するように、山部３１ａ及び谷部３１ｂが構成されている。
【００２７】
ノックロック部材３０の筒部３０ａの外周面には、４つの第１突起部３２が形成されている。第１突起部３２は、前後方向に延在し且つ周方向に等間隔に配置されている。隣接する第１突起部３２によって、前後方向に延在する４つのガイド溝３３が画成されている。
【００２８】
第１突起部３２の周方向における側面３２ａ、特に前端部の側面３２ａには、周方向の凹部３４が、それぞれ形成されている。凹部３４の底面は、第１突起部３２の周方向における側面３２ａと平行な側面３５である。凹部３４の後側の内面は、前後方向に対して垂直な平面に対して、周方向に傾斜した斜面３６である。凹部３４は、第１突起部３２の前方から後方に向かって見て、階段状に形成されている。第１突起部３２の側面３５はノックロック部材３０の周方向の回転を規制する役割を果たしている。
【００２９】
ノックロック部材３０のガイド溝３３の各々は、対応する後軸３の係止部４０の第２突起部４１をその内部に収容し、ガイド溝３３内を前後に相対的に移動可能とさせている。
【００３０】
芯ケース１０のカム面１２及びノックロック部材３０のカム受け面３１は、係止部４０の第２突起部４１が、ノックロック部材３０のガイド溝３３内に収容されるとき、カム面１２の山部１３が、周方向において、カム受け面３１の斜部３１ｃ上に位置するように構成されている。このため、例えば図２に示されるようにシャープペンシル１の前端を上向きにすると、ノックロック部材３０が重力の作用によって芯ケース１０のカム面１２に当接するが、ノックロック部材３０の自重に起因し、ノックロック部材３０は周方向の分力を受けて周方向に回転する。
【００３１】
図９は、図１のシャープペンシル１のノックロック部材３０の動作を示す模式図である。すなわち、図９は、芯ケース１０のカム面１２とノックロック部材３０と後軸３の係止部４０との位置関係を示す模式図であり、芯ケース１０のカム面１２を周方向に展開したものに対して、ノックロック部材３０の第１突起部３２と、後軸３の第２突起部４１との位置を示したものである。図中、上方がシャープペンシル１の前側であり、下方がシャープペンシル１の後側である。
【００３２】
図９（ａ）は、図１に示されるようなシャープペンシル１の前端が下向きの状態における後軸３内の模式図である。したがって、重力は図中上方に向かって作用している。ノックロック部材３０は、前軸２の後端面２ａと芯ケース１０のカム面１２との間における前方に配置され、後端面２ａとの当接によって停止している。後軸３の第２突起部４１の各々は、ノックロック部材３０の第１突起部３２間のガイド溝３３内に配置されている。
【００３３】
図９（ｂ）は、図９（ａ）の状態からノック操作によって芯ケース１０が前進した状態を示す。このとき、ノックロック部材３０は係止部４０と係止することはなく、ノック操作を妨げることはなく、ノック操作に応じて筆記芯７の繰り出しが行われる。
【００３４】
図９（ｃ）は、図２に示されるように、シャープペンシル１の前端を上向きにした直後の状態における後軸３内の模式図である。したがって、重力は図中下方に向かって作用している。シャープペンシル１の前端を上に向けることによって、ノックロック部材３０は、後方へ移動して芯ケース１０と当接する。詳細には、ノックロック部材３０のカム受け面３１が、芯ケース１０のカム面１２と当接する。ノックロック部材３０は、上述したように、自重に起因する周方向の分力を受けて周方向に回転する。すなわち、芯ケース１０のカム面１２とノックロック部材３０のカム受け面３１とが協働してノックロック部材３０を周方向へ回転させ、図９（ｄ）の状態となる。
【００３５】
図９（ｄ）は、図１に示されるようなシャープペンシル１の前端が上向きの状態における後軸３内の模式図である。したがって、重力は図中下方に向かって作用している。上述した、ノックロック部材３０の回転の結果、ノックロック部材３０が係止部４０と係止し、操作部の前方への移動が阻止される。すなわち、ノック操作ができない状態となる。
【００３６】
詳細には、係止部４０の第２突起部４１が、ノックロック部材３０の第１突起部３２の凹部３４内に収容されることによって、ノックロック部材３０と係止部４０とが係止状態になる。言い換えると、係止部４０の第２突起部４１がノックロック部材３０の第１突起部３２の凹部３４内に収容されるように、凹部３４は、係止部４０の第２突起部４１の一部と相補的な形状となるよう構成される。したがって、第２突起部４１の斜面４２は、凹部３４の斜面３６と同じ傾きを有する。この状態で、操作部を強く押圧して前方へ移動させようとしても、係止部４０の第２突起部４１がノックロック部材３０の凹部３４内に収容される方向の分力が強くなるだけであって、係止状態が解除されることはない。
【００３７】
ここで、図９（ｄ）の状態から、再びシャープペンシル１の前端を下向きにすると、ノックロック部材３０は、芯ケース１０のカム面１２との関係において自由になる。他方、ノックロック部材３０は、自重によって第１突起部３２を介して係止部４０を押圧する。すなわち、ノックロック部材３０の自重に起因し、第１突起部３２の凹部３４の斜面３６は、係止部４０の第２突起部４１の斜面４２から周方向の分力を受ける。その結果、ノックロック部材３０は、図９（ｃ）の場合とは逆の周方向に回転し、第２突起部４１がガイド溝３３内に案内される。すなわち、ノックロック部材３０と係止部４０との係止状態が解除され、ノックロック部材３０は前方への移動が可能な状態となる。ノックロック部材３０の前方への移動は、前軸２の後端面２ａとの当接によって停止され、図９（ａ）の状態となる。
【００３８】
本実施形態では、特に図９（ｄ）を参照しながら説明したように、前端が上向き状態において、操作部の前方への移動が阻止され、ノック操作ができない。したがって、例えば、操作部の消去部材２０を用いた当該シャープペンシル１による筆跡の消去時に、安定した擦過動作を行うことが可能となる。すなわち、シャープペンシル１を持ち替えて消去部材２０を筆記面に対して押圧して擦過動作を行っても、消去部材２０ががたつくことがない。
【００３９】
ノックロック部材は、軸筒内を前後方向に移動可能であれば任意の形状であってもよい。ノックロック部材の第１突起部の数及び対応する係止部の第２突起部の数は、同じであってもよく又は異なっていてもよく、任意に設定可能である。したがって、それぞれ１つでもよく、２つ以上の複数であってもよい。また、ノックロック部材の第１突起部の一部及び対応する係止部の第２突起部の凹部の形状は、相補的でなくても互いに係止可能であれば任意の形状を採用可能である。さらに、上述した実施形態において、ノックロック部材３０に設けられた第１突起部３２を軸筒４側に形成し、軸筒４に設けられた第２突起部４１をノックロック部材３０側に形成してもよい。
【００４０】
上述した筆記芯７を、鉛筆と同成分の通常の筆記芯としてもよい。この場合、消去部材２０は、一般的な消しゴムとすることができる。また、上述した筆記芯７を、熱変色性顔料を含有した熱変色芯としてもよい。
【００４１】
ここで、熱変色性顔料とは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有する顔料を言う。熱変色性顔料の筆記芯を用いたシャープペンシル１では上記第２色を無色とし、第１色（例えば赤）で筆記した描線を昇温させて無色とすることを、ここでは「消去する」ということとする。したがって、描線が筆記された筆記面等に対して消去部材としての摩擦体によって擦過して摩擦熱を生じさせ、それによって描線を無色に変化、すなわち消去させる。なお、当然のことながら上記第２色は、無色以外の有色でもよい。
【００４２】
筆記芯７を熱変色芯とした場合において、消去部材２０を形成する材料として、シリコーンゴム、ニトリルゴム、エチレンプロピレンゴム、エチレンプロピレンジエンゴム等の熱硬化性ゴムやスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物を、ＪＩＳ  Ｋ７２０４に規定された摩耗試験（ＡＳＴＭ  Ｄ１０４４）で荷重９．８Ｎ、１０００ｒｐｍ環境下において、テーバー摩耗試験機の摩耗輪ＣＳ−１７でのテーバー摩耗量が１０ｍｇ以上となるように構成し、消去部材２０を形成する。さらに、テーバー摩耗量が１０ｍｇ以上となるように調整するために、消去部材２０の材料に対して、より柔軟性を出すためのアルキルスルフォン酸フェニルエステル、シクロヘキサンジカルボン酸エステルやフタル酸系可塑剤を添加してもよい。消去部材２０が、アルキルスルフォン酸フェニルエステル、シクロヘキサンジカルボン酸エステルやフタル酸系可塑剤を含むことによって、消去部材２０がより摩耗しやすくなるため、紙面を傷めず且つ印刷文字等を掠れさせることなく、筆跡の消去が可能となる。さらに、消去部材２０は、ＪＩＳ  Ｋ６２０３に規定されたデュロメータＤ硬度が３０以上であることが望ましい。それによって、所定の硬さが確保でき、より安定した擦過動作が可能となる。なお、消去部材２０は、タッチペン、スタイラスペンとしても適用可能である。
【符号の説明】
【００４３】
１    シャープペンシル
２    前軸
３    後軸
４    軸筒
７    筆記芯
１０    芯ケース
２０    消去部材
３０    ノックロック部材
４０    係止部
【図１】
0006545039.tif 000002
【図２】
0006545039.tif 000003
【図３】
0006545039.tif 000004
【図４】
0006545039.tif 000005
【図５】
0006545039.tif 000006
【図６】
0006545039.tif 000007
【図７】
0006545039.tif 000008
【図８】
0006545039.tif 000009
【図９】
0006545039.tif 000010